(57)【要約】【課題】教育に関わる情報を単に利用者に提供するだけではなく、教育を受ける利用者らの理解の度合いや学習状況などの教育実態の把握が容易で、それらを容易に検証することができ、組織内での教育を効果的かつ経済的に運用するように支援できる教育支援システムを提供する。【解決手段】ウェブページを運用するウェブサーバーと、前記ウェブサーバーからの情報を利用する利用者端末とが、通信手段を介して教育に伴う情報の授受を行い、教育の支援を行う教育支援システムであって、前記ウェブページを参照することができるブラウザと、前記ウェブページの参照時にクイズ形式の問い合わせを表示する手段と、前記問い合わせの回答内容に応じて、前記利用者のジャンプ先のＵＲＬを切り替える手段と、を備える教育支援システムとした。【選択図】      図１
2008107555.tif 000002
【特許請求の範囲】
【請求項１】
ウェブページを運用するウェブサーバーと、このウェブサーバーからの情報を利用する利用者の端末とが、通信手段を介して教育情報の授受を行い、教育の支援を行う教育支援システムであって、
前記ウェブページを参照することができるブラウザと、
前記ウェブページの参照時にクイズ形式の問い合わせを表示する手段と、
前記問い合わせの回答内容に応じて、前記利用者のジャンプ先のＵＲＬを切り替える手段と、を備えることを特徴とする教育支援システム。
【請求項２】
請求項１に記載の教育支援システムにおいて、
前記クイズ形式の問い合わせは、前記ウェブサーバーが運用するホームページのトップページに画面表示する、ことを特徴とする教育支援システム。
【請求項３】
請求項１または２に記載の教育支援システムにおいて、
前記利用者に関する利用者情報を取得し、前記ウェブサーバーに記録保管する手段と、
前記クイズ形式の問い合わせの番号と、前記問い合わせに対する前記利用者からの回答結果とを、前記利用者情報と共に、前記ウェブサーバーに記録保管する手段と、を備えることを特徴とする教育支援システム。
【請求項４】
請求項３に記載の教育支援システムにおいて、
前記ウェブサーバーに記録保管された情報を検索または参照することにより、
１）統計処理によって利用者別または問題番号別の回答状況を取得する、
２）問題番号毎の利用頻度を取得して、この利用頻度に応じて出題する問題番号の重み付けを変更する、
３）利用者情報に応じて、過去に不正解であった問題の出題頻度を変更する、
のいずれかまたはすべてを実行する手段を備えることを特徴とする教育支援システム。
【発明の詳細な説明】
【技術分野】
【０００１】
本発明は、会社や組織体等によって実施される社員の教育や受講のニーズに対して、インターネットやイントラネット等の通信手段を利用して、教育が効果的かつ経済的に運用されるよう支援する教育支援システムに関するものである。
【背景技術】
【０００２】
現在のＯＪＴ(On the Job Training)などの社員教育においては、会社のノウハウや規則などについては社内イントラネット上で公開し、社員に対する情報の提供や共有化を行っている。それと同時に全文検索機能などをサポートして、その使い勝手の向上を図っている。
また、「質疑・解明票」のような帳票を運用し、広く社員から疑問・質疑・問題などの情報を集め、ノウハウの増強に努めている。集められた情報は、随時、社内イントラネットのホームページ上に公開し、社員のスキルアップなどに役立てている。ここでのイントラネットは、インターネット標準技術に基づく企業内ネットワークである。
【０００３】
上記のようなホームページを用いた情報公開の手法は、確かに便利で効果はあるものの、それを読んだ人が教わったノウハウや規則をきちんと覚えているか、といったような確認までは、することができない。
また、ホームページの参照回数や参照先ＩＰアドレス等のアクセスログを解析することで、そのホームページを誰が何回見ているか等の情報は得られるものであるが、では、その人がその内容をどのようにどの程度理解したのかどうか、というような点についてまでは、把握することはできない。
このように、会社のノウハウや規則などをホームページ上で公開する目的の１つは、社員育成のためではあるものの、本当に社員が理解したのかどうかを検証する手段を持たないと、その効果は半減してしまう。
【０００４】
本願発明の技術分野に関連する特許文献としては、例えばつぎのようなものがある。
【特許文献１】特開２００３−５８０３５号公報
【特許文献２】特開２００２−１１６６８３号公報
【特許文献３】特開平１１−２８２８２６号公報
【特許文献４】特開平１１−２４９５４０号公報
【特許文献５】特開平０８−２７２２８７号公報
【発明の開示】
【発明が解決しようとする課題】
【０００５】
本発明は、上記したような問題点を解決するためになされたものであり、教育に関わる情報を単に利用者に提供するだけではなく、教育を受ける者(利用者)らの理解の度合いや学習状況などの教育実態の把握が容易で、それらを容易に検証することができ、組織内での教育を効果的かつ経済的に運用するように支援できる教育支援システムを提供することを目的としている。
【課題を解決するための手段】
【０００６】
（１）ウェブページを運用するウェブサーバーと、このウェブサーバーからの情報を利用する利用者の端末とが、通信手段を介して教育情報の授受を行い、教育の支援を行う教育支援システムであって、
前記ウェブページを参照することができるブラウザと、
前記ウェブページの参照時にクイズ形式の問い合わせを表示する手段と、
前記問い合わせの回答内容に応じて、前記利用者のジャンプ先のＵＲＬを切り替える手段と、を備える教育支援システムとした。
（２）(１)の教育支援システムにおいて、
前記クイズ形式の問い合わせは、前記ウェブサーバーが運用するホームページのトップページに画面表示する。
【０００７】
（３）(１)または(２)の教育支援システムにおいて、
前記利用者に関する利用者情報を取得し、前記ウェブサーバーに記録保管する手段と、
前記クイズ形式の問い合わせの番号と、前記問い合わせに対する前記利用者からの回答結果とを、前記利用者情報と共に、前記ウェブサーバーに記録保管する手段とを備える。
【０００８】
（４）(３)の教育支援システムにおいて、
前記ウェブサーバーに記録保管された情報を検索または参照することにより、
１）統計処理によって利用者別または問題番号別の回答状況を取得する、
２）問題番号毎の利用頻度を取得して、この利用頻度に応じて出題する問題番号の重み付けを変更する、
３）利用者情報に応じて、過去に不正解であった問題の出題頻度を変更する、
のいずれかまたはすべてを実行する手段を備える。
【発明の効果】
【０００９】
本発明の教育支援システムによれば、利用者がインターネットのホームページまたはイントラネットのトップページにアクセスすると、必ずクイズ形式の問題に答えなければならず、しかもその出題内容は、その利用者の業務に密着した出題内容なので、非常に有効な学習効果を期待できる。
また同時に、クイズ形式であることにより、利用者・出題内容・回答を容易にデータベース化することができ、会社のノウハウや規則がどの程度の割合で社員に徹底または理解されているのかを、数値化して管理することができる。
【００１０】
本教育支援システムはまた、社員の育成に役立つことは勿論、間違い易い事項(内容)や非常に周知徹底されている事項(内容)など、ノウハウや規則の理解度・周知状況等を把握することができるため、社員らが犯しがちなミスの防止策にも役立てることができる。
また、従来使用していた「ｅ−ラーニングシステム」に比べて、本システムではホームページへアクセスするという通常業務の中に、クイズ感覚でノウハウや規則等の確認および習得を組み込むことができるため、利用者にとっては負担無くノウハウや知識の向上を図ることができる。
また、若年者の教育だけでなく、気軽に実施できることから熟年者にとってもスキルの確認を行うことができる。
【００１１】
また、アクセスした人の社員番号などから、その人がどの部署に属するどのような社員であるかの情報が取得できる。これにより、その人が他の部署に属することが判明したときには、その人に対しては、クイズを出す代わりにお知らせのような情報をウインドウで表示することもできる。さらに、異なる部署に属する人に対しては、その人と関係の無いクイズ問題を出題することを防止して、伝えたい情報を表示させることができる。
【発明を実施するための最良の形態】
【００１２】
以下、本発明の一実施形態について、添付の図面に基づいて詳細に説明する。
図１は、本発明による教育支援システムの一実施形態を説明するためのモデル図であり、この図１において、教育支援システム１００は、インターネットを含む通信手段１０、クライアント(利用者またはユーザー)の端末(１１,１２,１３)、各種の情報データベース(３１,３３,３４)やファイル(３２)を有するサーバー３０を備えて構成されている。
【００１３】
この図１を参照するに、本実施の形態にかかる教育支援システム１００では、利用者(ユーザー)が使用するクライアントＰＣ(端末)(１１,１２,１３)は情報参照手段(１１ａ,１２ａ,１３ａ)を備え、インターネットを含む通信手段２０によって、サーバー３０に接続されている。そして、教育支援システム１００全体は、教育支援システム１００のサーバー３０側が備えるＰＣシステム(図示しない)及びそのプログラムによって実行される。
【００１４】
また、本システム１００のサーバー３０では、利用者データベース３１を参照／検索してこのシステムにアクセスした利用者を認証するための利用者認証手段３０ａと、提供情報ファイル３２を参照／検索して各種情報を利用者側に提供する情報提供手段３０ｂと、クイズデータベース３３／クイズ実績データベース３４を参照／検索して、利用者側にクイズ形式の問い合わせを送り、これらのクイズ関係情報を管理するクイズ管理手段３０ｃと、を備えている。
【００１５】
本教育支援システム１００は、インターネットのウェブページを運用するウェブサーバー３０と、このウェブサーバー３０からの情報を利用する利用者の端末(１１,１２,１３)とが、インターネットまたはイントラネットを含む通信手段を介して、教育情報の授受を行い、教育の支援を行う教育支援システムであり、ウェブページを参照することができるブラウザを有し、ウェブページの参照時にクイズ形式の問い合わせを表示することができ、問い合わせの回答内容に応じて、利用者のジャンプ先のＵＲＬを切り替えることができる。また、クイズ形式の問い合わせは、ウェブサーバー３０が運用するホームページのトップページに画面表示するとよい。
【００１６】
本教育支援システム１００で用いられるブラウザは、ウェブページを閲覧するためのアプリケーションソフトであり、インターネットからHTMLファイルや画像ファイル、音楽ファイルなどをダウンロードし、レイアウトを解析して表示・再生することができる。フォームを使用してユーザーらがデータをウェブサーバーに送信したり、他のアプリケーションソフトを動作させたりすることも可能である。また、ＵＲＬは、インターネット上に置かれているリソース（テキストやイメージ、音声ファイルやその他）の場所を表す記述方式もしくは場所そのものを指すもので、インターネット上の「住所」のようなものであり、このＵＲＬがあることで、ユーザーらは先のブラウザを通じて、インターネット上に存在するさまざまなファイルにアクセスすることができる。
【００１７】
本教育支援システム１００においては、利用者(１１,１２,１３)に関する利用者情報を取得し、ウェブサーバー３０の利用者データベース３１に記録保管することができるし、また、クイズ形式の問い合わせの番号や問い合わせに対する利用者からの回答結果についても、クイズデータベース３３およびクイズ実績データベース３４を用いて、ウェブサーバー３０内に記録保管することができる。
【００１８】
さらに、本教育支援システム１００においては、ウェブサーバー側に記録保管された情報類(３１,３２,３３,３４)を検索または参照することにより、１）統計処理によって利用者別または問題番号別の回答状況を取得する、２）問題番号毎の利用頻度を取得して、この利用頻度に応じて出題する問題番号の重み付けを変更する、３）利用者情報に応じて、過去に不正解であった問題の出題頻度を変更する、のいずれかまたはそれらすべてを実行することができる。
【００１９】
図２は、本願発明による教育支援システムの一実施形態にかかる動作のフローチャートである。この図２のシステムにおいて、利用者１４とウェブサーバー４０とは通信手段を経由して情報の授受を行い、ウェブサーバー４０の側には、社員データベース３５、ノウハウ／規則等データベース３６、クイズログ３７、ホームページ関連情報３８などを備え、また利用者１４のＰＣには、ウェブサーバー４０とのやり取りに従って、クイズ画面Ｄ１、トップページ画面Ｄ２、Ｑ＆Ａ画面Ｄ３などが表示される。
【００２０】
まず、本教育支援システムの利用者(クライアント)１４は、自身のクライアントＰＣ(端末)を用いて、インターネット／インターネットを含む通信手段を経由して、ホームページを運用するウェブサーバー４０(サーバー)にアクセスする。そして、そのホームページのトップページを参照するためのリクエストを出す(ステップＳ１０１)。
【００２１】
利用者１４からアクセスを受けたウェブサーバー４０の側では、利用者の認証を行うために、この利用者１４に社員ＩＤとパスワードとを要求する(ステップＳ１０２)。この要求に対して、利用者１４は、ウェブサーバー４０から求められた社員ＩＤとパスワードとを入力する(ステップＳ１０３)。すると、ウェブサーバー４０は、利用者１４から入力されたデータと社員データベース３５とを参照して、利用者の認証を行い、利用者１４を特定する(ステップＳ１０３’)。なお、クライアントの認証するにあたっては、ＩＤやパスワードの他に、生体認証等の周知な認証手段を用いてもよい。
【００２２】
つぎに、利用者１４からアクセスを受けたウェブサーバー４０側が、利用者の認証をして利用者が特定される場合には、利用者の属性(＝組織コード)も判断できる。そのとき、ウェブサーバー４０側では、アクセスしてきた利用者が、ホームページに属する部署に所属する利用者であると判断すると、利用者１４のＰＣにクイズ画面Ｄ１を呼び出す(ステップＳ１０４)。また、アクセスしてきた利用者が、ホームページに属さない他の部署に所属する利用者であると判断すると、クイズ画面Ｄ１ではなく、お知らせ画面を呼び出して、これをアクセスしてきた利用者に対してこれを表示する。
【００２３】
また、ウェブサーバー４０側から、利用者１４のＰＣにクイズ画面Ｄ１を表示させる工程(ステップＳ１０４)においては、利用者に関係する情報を蓄積保存したデータベース(３５,３７など)を用い、例えば、利用者１４の過去のクイズ履歴を参照して、未回答や過去に不正解であった問題を優先的に選出し、それらをクイズ画面Ｄ１上で表示して出題する、ということができる。
【００２４】
クイズ画面Ｄ１として表示されて出題された問題に対して、利用者１４は回答する(ステップＳ１０５)。そして、サーバー４０側では、利用者１４の回答を受けて、その利用者１４の回答内容を正解と照らし合わせて、正解であれば「正解」というメッセージと共に、ホームページを呼び出して、通常のトップページ(画面Ｄ２)を表示し(ステップＳ１０６)、これにより、利用者は当初利用したいと思っていた初期画面を参照することができるようになる。またこのとき、利用者の回答が「不正解」であるなら、強制的にその出題した内容の回答が書いてあるホームページを呼び出して、通常のノウハウや規則に関するページを表示する(ステップＳ１０７)。
【００２５】
このように、一連のステップＳ１０４よりステップＳ１０７までの流れにおいて、サーバー４０から利用者１４へ送られたクイズ問題、利用者１４から送られたクイズ問題への回答、その回答に対する成否結果等のデータなどのクイズ関連の情報類は、利用者ＩＤと共に、所定のデータベース(３５,３７等)にその都度保管されて、それらが蓄積される。
また、ウェブサーバー側では、利用者からのクイズの回答結果を管理する手段を備えており、利用者毎の回答結果情報、社員全員の受講状況、出題別の回答状況などの統計処理を行って、これらをデータベースに保管しておくことができ、必要に応じて利用者らにもこれらのデータを提供することができる。
【００２６】
図３は、本教育支援システムにおいて、ウェブサーバー側から利用者側へ出題されるクイズ問題のいくつかの例を示した図である。それぞれの問題には、すべてクイズ番号とその分類区分が付与されており、それらはデータ管理されて保存されている。また、個々の問題の具体的な「問い」に対しては「候補１／候補２／候補３」という選択肢による回答が準備されており、利用者の方で３つの候補から１つを選んで回答するという出題形式となっている。図３に具体的に示した［区分］は、「Ａ：調達管理の適用・資材部所管物品等の指定・社給の範囲」「Ｂ：市況調査・登録」「Ｃ：調達の請求」「Ｄ：見積依頼先の指定、見積依頼」である。
【００２７】
図４は、教育支援システムの一実施形態にかかる動作の流れを示すフローチャートである。
図４では、スタート(ステップＳ２００)から始まり、本教育支援システムの利用者(クライアント)からウェブサーバーがアクセスを受ける(ステップＳ１０１)と、アクセスを受けたウェブサーバーの側では、利用者データベース５１を参照して、利用者の認証を行い、利用者の特定を行う(ステップＳ２０２)。
【００２８】
つぎのステップＳ２０２においての利用者の特定にあたり、アクセスした利用者を「クイズ非対象者」「クイズ対象者」「参照不可」の３者に分類する。
「クイズ非対象者」に対しては、お知らせ情報を参照することとし(ステップＳ２０６)、お知らせ情報のウインドウを返す(ステップＳ２０６)処理をして、その後に終了となる(ステップＳ２０９)。
「クイズ対象者」に対しては、出題すべきクイズを選出し(ステップＳ２０４)、クイズのウインドウを返す(ステップＳ２０５)処理をし、その後に終了となる(ステップＳ２０９)。
「参照不可」に対しては、参照エラーを返して(ステップＳ２０５)、その後に終了となる(ステップＳ２０９)。
【図面の簡単な説明】
【００２９】
【図１】本発明による教育支援システムの一実施形態を説明するためのモデル図である。
【図２】本発明による教育支援システムの一実施形態において、動作の流れを示すフローチャートである。
【図３】本発明による教育支援システムの一実施形態において用いられるクイズ問題の具体的を示す図である。
【図４】本発明による教育支援システムの一実施形態において、動作の流れを示すフローチャートである。
【符号の説明】
【００３０】
１００  教育支援システム
１１、１２、１３    利用者(クライアント)側の端末
２０    通信手段
３０    サーバー
３０ａ    利用者認証手段
３０ｂ    情報提供手段
３０ｃ    クイズ管理手段
３１    利用者データベース
３２    提供情報データベース
３３    クイズ問題関連情報データベース
３４    クイズ実績情報データベース
【図１】
2008107555.tif 000003
【図２】
2008107555.tif 000004
【図３】
2008107555.tif 000005
【図４】
2008107555.tif 000006